(57)【要約】【課題】  デザイン性に富み、複数の筆記手段を備えた筆記具を提供する。【解決手段】  筆記具１は球状に形成された塊状の握り部２の表面３に対し筆記部４を嵌合可能な筒体５から形成された複数個の鞘部６を突設し、握り部２の上下左右前後の表面３に対しては其々握り部２の中心部から放射方向の上下左右前後方向に向かって筒体５の開口部８が向けられるよう鞘部６は突設されている。筆記部４は円柱状の中空な筒体10からなる軸筒11から形成されている。軸筒11の外径は鞘部６の開口部８に軸筒11の両端側から嵌挿可能に形成されており、一端は筆記手段９を嵌着可能に縮径されその一端側の先端形状が略裁頭円錐状に形成された先端であり、軸筒11の他端には軸筒11内に筆記手段９を内包可能とするよう閉塞されている基端13が形成されている。また軸筒11には筆記手段９を表す色に着色されたリング体からなる同色部14が設けられている。【選択図】図１
2006346977.tif 000002
【特許請求の範囲】
【請求項１】
塊状の握り部と、この握り部の表面に放射状に複数個配置され先端側に開口部を有し内部を中空に形成した鞘部と、前記鞘部の開口部に対し着脱自在に嵌合される筆記部を設けたことを特徴とする筆記具。
【請求項２】
前記塊状の握り部は球状であり前記鞘部は突設した筒型形状であると共に、前記筆記部は前記鞘部の数に対応する数を有することを特徴とする請求項１記載の筆記具。
【請求項３】
前記筆記部がそれぞれ異なる色の筆記手段を有することを特徴とする請求項１又は２記載の筆記具。
【請求項４】
前記筆記部の外郭を形成している軸筒の外周に該筆記部におけるペンのインクの色と同色部を設けたことを特徴とする請求項１〜３のいずれか１項記載の筆記具。
【請求項５】
前記筆記部の基端に着脱自在に嵌合される該筆記部の棒状の延長用鞘体部を有することを特徴とする請求項１〜４のいずれか１項に記載の筆記具。
【請求項６】
前記鞘部は握り部に対して少なくとも上下左右前後の６方向に設けられていることを特徴とする請求項１〜５のいずれか１項に記載の筆記具。
【発明の詳細な説明】
【技術分野】
【０００１】
本発明は、デザイン性に富み、複数の筆記手段を備えた筆記具に関するものである。
【背景技術】
【０００２】
従来、この種のものとしてキャップ兼ペン連結部の左右にそれぞれペン軸を設けた複数色が使える筆記具がある（例えば、特許文献１）。又は先端に芯部材が突設されてある複数個のカートリッジと、これに嵌合連結可能の少なくとも一個のジョイント部材より構成された筆記具であって、カートリッジは、先端に芯部材の一端を挿入する筒状突起部が、かつ後端に他のカートリッジの突起部を直列状に嵌挿連結する挿入孔がそれぞれ設けられ、カートリッジの外周面に係合突条と、この係合突条に対応する係合凹溝とを設け、他のカートリッジの係合凹溝と突条を前記係合突条と凹溝に係合させることで両カートリッジを並列状に連接可能な構造とし、ジョイント部材は、任意の形状の本体と、この本体の少なくとも一部に設けられ前記カートリッジの挿入孔に挿入可能の突起部とからなり、カートリッジと縦，横方向に嵌合連結自在に構成したものがある（例えば、特許文献２）
【特許文献１】特開平１０−１２９１９０号公報
【特許文献２】実用新案登録第３０６６６３６０号公報
【発明の開示】
【発明が解決しようとする課題】
【０００３】
しかし、前記第一の従来例では一つの筆記具において使用できる色は二色だけであり、それ以外の色を使用するには更に別の筆記具を用意しなければならず、複数の筆記具が必要となってしまい、作業に使用する複数の筆記具が机の上に置かれた状態では周囲の人間に対し、いかに筆記具が整理されて置かれていたとしても、机の引出しにしまわれた状態に比べ、机の上における環境の向上には至らない。
【０００４】
なお、前記第二の従来例では、ジョイント部材を介し任意の形状に筆記用カートリッジを連結して組み立てるように構成されているが、組み立てられる筆記具はどれも筆記部が剥き出しになっており、いくら自由なイメージを持って筆記具を組み立ててみても、組み立てられた筆記具の外観は筆記具のイメージを拭い切れない。
【０００５】
解決しようとする問題点は、筆記具として作業するうえで、必要十分な数の筆記手段を一つの筆記具に備え使用できるようにし、机等の上に置かれた状態でも周囲の人間に対し筆記手段を一つにまとめた形状を筆記具として認識されないように筆記具自体を形成することにより、筆記具を使用せずに机の上に置かれた状態でもその特異な形状が筆記具自体をオブジェとして周囲の人間の目を引き付け、使用者の机の上における環境を視覚的に向上させる筆記具を提供することを目的とする。
【課題を解決するための手段】
【０００６】
請求項１の発明は、塊状の握り部と、この握り部の表面に放射状に複数個配置され先端側に開口部を有し内部を中空に形成した鞘部と、前記鞘部の開口部に対し着脱自在に嵌合される筆記部を設けたことを特徴とする筆記具である。
【０００７】
請求項２の発明は、前記塊状の握り部は球状であり前記鞘部は突設した筒型形状であると共に、前記筆記部は前記鞘部の数に対応する数を有することを特徴とする請求項１記載の筆記具である。
【０００８】
請求項３の発明は、前記筆記部がそれぞれ異なる色の筆記手段を有することを特徴とする請求項１又は２記載の筆記具である。
【０００９】
請求項４の発明は、前記筆記部の外郭を形成している軸筒の外周に該筆記部におけるペンのインクの色と同色部を設けたことを特徴とする請求項１〜３のいずれか１項記載の筆記具である。
【００１０】
請求項５の発明は、前記筆記部の基端に着脱自在に嵌合される該筆記部の棒状の延長用鞘体部を有することを特徴とする請求項１〜４のいずれか１項に記載の筆記具である。
【００１１】
請求項６の発明は、前記鞘部は握り部に対して少なくとも上下左右前後の６方向に設けられていることを特徴とする請求項１〜５のいずれか１項に記載の筆記具である。
【００１２】
請求項１の発明によれば、握り部と握り部の表面に放射状に設けられた鞘部と筆記部とが成す特異な外観形状により、周囲の人間の目を引くデザイン性を有することができる。
【００１３】
請求項２の発明によれば、握り部の表面に対し放射状に設けられた複数の鞘部と鞘部に一体に嵌合された筆記部が作業者の手に対して、ひっかかりの良さを増すことにより持ち易く掴み易い形状となる。そしてこの掴み易い形状は作業者の皮膚に対しマッサージ効果等も有することになる。
【００１４】
請求項３の発明によれば、前記筆記部がそれぞれ異なる色の筆記手段を有することにより、作業毎に様々な必要な筆記具を複数用意する必要が無くなり、又複数の筆記手段が一つにまとまることにより筆記具の管理及び整理を容易にすることができる。
【００１５】
請求項４の発明によれば、一目で鞘部に収納されている筆記部それぞれの筆記手段の識別ができる。
【００１６】
請求項５の発明によれば、棒状の延長用鞘体部を筆記部の軸筒として使用することができ、筆記具としての操作性が向上し筆記作業の効率化を図ることができる。
【００１７】
請求項６の発明によれば、握り部の表面上に対し鞘部が配置され、例えば筆記具を転がした状態でも必ず何れかの鞘部に嵌合された筆記部が筆記具における脚として機能し握り部が傷付くことを防ぎ、又筆記具の外観上の形状においても、バランスの良いデザインを提供することができる。更に握り部の表面における上下左右前後のどの面に対しても配置可能となり、筆記具としての自由度を向上させることができる。
【発明を実施するための最良の形態】
【００１８】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１９】
図１〜図５は実施例１を示しており、筆記具１は球状に形成された塊状の握り部２の表面３に対し筆記部４を嵌合可能な筒体５から形成された鞘部６を突設している。握り部２の表面３と、この表面３に突設される鞘部６との接続関係の概略は図２に示すように上下左右前後の表面３に対しては其々握り部２の中心部７から放射方向の上下左右前後方向に向かって筒体５の開口部８が向けられるよう鞘部６が突設されており、表面３の上側面３Ａには中心部７から上方向に向かって開口部８Ａが向けられた鞘部６Ａが突設され、表面３の下側面３Ｂには中心部７から下方向に向かって開口部８Ｂが向けられた鞘部６Ｂが突設され、表面３の左側面３Ｃには中心部７から左方向に向かって開口部８Ｃが向けられた鞘部６Ｃが突設され、表面３の右側面３Ｄには中心部７から右方向に向かって開口部８Ｄが向けられた鞘部６Ｄが突設され、表面３の前面３Ｅには中心部７から前方向に向かって開口部８Ｅが向けられた鞘部６Ｅが突設され、さらに表面３の後面３Ｆには中心部７から後方向に向かって開口部８Ｆが向けられた鞘部６Ｆが突設している。上記の握り部２は筆記具１が置かれている机等の設置面に対し鞘部６及び筆記部４により支持され常時遊離しているよう握り部２の表面３には複数個の鞘部６が設けられている。
【００２０】
前記鞘部６は肉厚一定な円柱状の筒体５からなり、開口部８から握り部２の表面３により閉塞された内部空間は後述する筆記手段９を有する筆記部４が両端側から嵌挿収納可能な長さを有して形成されている。
【００２１】
前記筆記部４は円柱状の中空な筒体10からなる軸筒11からなり、軸筒11の外径は鞘部６の開口部８に軸筒11の両端側から嵌挿可能に形成されており、一端は筆記手段９を嵌着可能に縮径されその一端側の先端形状が略裁頭円錐状に形成されたペン先などの先端12であり、軸筒11の他端には軸筒11内に筆記手段９を内包可能とするよう閉塞されている基端13が形成されている。また軸筒11における先端12と基端13との基端13寄りの中間付近には筆記手段９を表す色に着色されたリング体からなる同色部14が設けられている。
【００２２】
前記筆記手段９は一つの筆記具１が互いに異なる複数種類の筆記手段９を有するように複数個の鞘部６には嵌合されている。また筆記手段９にはサインペン、ボールペン、修正ペン、蛍光インクペン、各種鉛筆、スティック状消しゴム、万年筆やシャープペンシル等のどれを用いても構わないこととする。そして筆記手段９を表す色としてサインペンはインクの色、ボールペンはインクの色、修正ペンは白色、蛍光インクペンは蛍光インクの色、各種鉛筆は各種鉛筆の芯の色、スティック状消しゴムは白色または透明、万年筆は使用するインクの色や筆先の金属を連想させるメタリックカラー、シャープペンシルは使用する芯の色というように筆記作業を行う作業者にとって筆記手段９自体を連想し得る色が使用される。
【００２３】
以上の構成について作用を述べると、筆記具１を用いて筆記作業を行おうとする作業者は、先ず複数個の鞘部６にそれぞれ嵌合されそれぞれに異なる筆記手段９を有した筆記部４郡の中から筆記部４の筆記手段９を表す色に着色された同色部14の色を通じて作業に使用する筆記部４を選択する。筆記具１から選択した筆記部４を嵌合されていた鞘部６から離脱させる。さらに離脱された筆記部４を反転させ、対応する鞘部６の開口部８に対し他端13側から挿入して嵌合する。この時、同色部14は鞘部６の開口部８の周縁と衝止される。このように選択した筆記部５は筆記手段９を有した先端12と基端13とを鞘部６に対し反転した状態で嵌合させ、所望の筆記部４の筆記手段９を露出した状態にした筆記具１を手の平に内包するように掴み、選択した筆記部４で筆記作業を行う。
【００２４】
筆記作業が終了し、選択した筆記部４を元に戻すには筆記部４を掴み鞘部６から離脱させ、対応する鞘部６の開口部８に対し筆記手段９を有する先端12から挿入して嵌合させる。この時、同色部14は鞘部６の開口部８の周縁と衝止される。
【００２５】
筆記部４の交換については、前述した方法で筆記具１から交換したい筆記部４を離脱させ、筆記部４に対応する鞘部６に別途用意した筆記部４を嵌合させて交換を完了させる。
【００２６】
以上のように、前記実施例では請求項１に対応して塊状の握り部2と、この握り部2の表面3に放射状に複数個配置され先端側に開口部８を有し内部を中空に形成した鞘部６と、前記鞘部６の開口部８に対し着脱自在に嵌合される筆記部４を設けたことにより、握り部2と握り部2の表面3に放射状に設けられた鞘部６と筆記部４とが成す特異な外観形状により、周囲の人間の目を引くデザイン性を有することができる。
【００２７】
また、前記実施例では請求項２に対応して塊状の握り部2は球状であり前記鞘部６は突設した筒型形状であると共に、前記筆記部４は前記鞘部６の数に対応する数を有することにより握り部2の表面3に対し放射状に設けられた複数の鞘部６と鞘部６に一体に嵌合された筆記部４が作業者の手に対して、ひっかかりの良さを増すことにより持ち易く掴み易い形状となる。そしてこの掴み易い形状は作業者の皮膚に対しマッサージ効果も有することになる。
【００２８】
さらに、前記実施例では請求項３に対応して前記筆記部４がそれぞれ異なる色の筆記手段９を有することにより、作業毎に様々な必要な筆記具を複数用意する必要が無くなり、又複数の筆記手段が一つにまとまることにより筆記具の管理及び整理が容易になる。
【００２９】
また、前記実施例では請求項４に対応して前記筆記部４の外郭を形成している軸筒11の外周に該筆記部４におけるペンのインクの色と同色部14を設けたことにより、一目で筆記具1における複数種類の筆記部４における色の識別ができる
さらに、前記実施例では請求項６に対応して前記鞘部６は握り部２に対して少なくとも上下左右前後の６方向に設けられていることにより、握り部2の表面3上に対し鞘部６が配置され、例えば筆記具1を転がした状態でも必ず何れかの鞘部６に嵌合された筆記部４が筆記具1における脚として機能し握り部２が傷付くことを防ぎ、又筆記具1の外観上の形状においても、バランスの良いデザインを提供することができる。更に突設した筒状の鞘部６を配置する場合、握り部２の表面３における上下左右前後のどの面に対しても配置可能となり、筆記具としての自由度を向上させることができる。
【実施例２】
【００３０】
図６〜図９は実施例２を示しており、前記実施例１と同一部分には同一符号を付し、その詳細な説明を省略する。前記筆記部４における軸筒11の外周に嵌合自在な延長用鞘体部15は、肉厚一定な円柱状の筒体16からなり筒体16の一端に開口部17を他端に閉塞部18を有しており、筒体16の内周の径は筆記部４の外周に対し嵌合自在な大きさに形成されており、円柱形状における高さ方向の距離Ｘは作業者が実際に握り筆記作業を行うのに十分な長さを有している。そして延長用鞘体部15は図中に示されているように握り部２に対し独立して設けられている。
【００３１】
以上の構成について作用を述べると、筆記具１を用いて筆記作業を行おうとする作業者は、先ず筆記具１の有する複数の筆記手段９郡の中から作業に用いる筆記手段９を、筆記手段９の表す色に着色された同色部14の色を通じて作業に使用する筆記部４を選択する。前記筆記部４の他端13を、握り部２に対し独立して設けられた延長用鞘体部15の開口部17に対し嵌合させる。この時、同色部14は延長用鞘体部15の開口部17の周縁と衝止される。嵌合され一体になった筆記部５と延長用鞘体部15を鞘部６から離脱させ、独立した筆記具として筆記作業に使用する。
【００３２】
筆記作業が終了し、選択した筆記部４を元に戻すには筆記部４の軸筒11と同色部14を掴み延長用鞘体部15から外し、筆記部４と延長用鞘体部15を分解させ、握り部２における筆記部４に対応する鞘部６の開口部８に対し一端12側から挿入して嵌合させる。この時、同色部14は鞘部６の開口部８の周縁と衝止される。
【００３３】
以上のように、前記実施例では請求項５に対応して前記筆記部４の基端13に着脱自在に嵌合される該筆記部４の棒状の延長用鞘体部15を有したことにより、棒状の延長用鞘体部15を筆記部４の軸筒11として使用することができ、筆記具としての操作性が向上し筆記作業の効率化を図ることができる。
【図面の簡単な説明】
【００３４】
【図１】本発明の実施例１を示す斜視図である。
【図２】本発明の実施例１の握り部の表面と鞘部との接続関係の概略を示した斜視図である。
【図３】本発明の実施例１を示す断面図である。
【図４】本発明の実施例１の使用状態を示す斜視図であり、図４(a)は筆記部を鞘部から離脱させた斜視図であり、図４(b)はその離脱させた筆記部を筆記手段が露出した状態で鞘部に嵌合させた斜視図である。
【図５】本発明の実施例１の筆記具としての使用状態を示す斜視図である。
【図６】本発明の実施例２を示す斜視図である。
【図７】本発明の実施例２を示す断面図である。
【図８】本発明の実施例２の使用状態を示す図であり、図８(a)は使用する筆記部と延長用鞘体部とを嵌合させた状態を示した斜視図であり、図８(b)は嵌合させた筆記部と延長用鞘体部を筆記具の鞘部から離脱させた状態を示した斜視図である。
【図９】本発明の実施例２における筆記部と延長用鞘体部とを嵌合させ、独立した筆記具として使用した状態を示した斜視図である。
【符号の説明】
【００３５】
１  筆記具
２  握り部
３  表面
４  筆記部
６  鞘部
８  開口部
９  筆記手段
13  基端
14  同色部
15  延長用鞘体部
【図１】
2006346977.tif 000003
【図２】
2006346977.tif 000004
【図３】
2006346977.tif 000005
【図４】
2006346977.tif 000006
【図５】
2006346977.tif 000007
【図６】
2006346977.tif 000008
【図７】
2006346977.tif 000009
【図８】
2006346977.tif 000010
【図９】
2006346977.tif 000011